(57)【特許請求の範囲】
【請求項１】
直管型ランプ本体と、
前記直管型ランプ本体の一端に配置され、内部に収容空間を有し、かつ、前記収容空間に繋がる２つの貫通穴を備える第１口金部材と、
前記収容空間に配置され、前記２つの貫通穴へとそれぞれ延伸する２つの電極を含み、前記直管型ランプ本体および前記第１口金部材に対して通電位置および遮断位置まで回転する回転部材と、
を含み、
前記回転部材が前記通電位置にある場合、前記２つの電極は前記直管型ランプ本体と通電し、一方、前記回転部材が前記遮断位置にある場合、前記２つの電極は前記直管型ランプ本体と電気的に遮断され、
前記第１口金部材は、
前記直管型ランプ本体の一端に配置され、前記直管型ランプ本体と電気的に接続する第１導接部を含むベースと、
前記ベースと相互に組み合わされて一体を構成し、かつ、貫通穴を備える外蓋と、
を含み、
前記ベースは、少なくとも１つの第１嵌合部をさらに備え、
前記回転部材は、前記第１嵌合部に対応する少なくとも１つの第２嵌合部をさらに備える、直管型ランプ。
【請求項２】
感電を防止する機能を有する、請求項１に記載の直管型ランプ。
【請求項３】
前記直管型ランプ本体は発光ダイオードを含む、請求項１または２に記載の直管型ランプ。
【請求項４】
前記直管型ランプ本体の他の一端に配置される第２口金部材をさらに含む、請求項１ないし３のいずれか１項に記載の直管型ランプ。
【請求項５】
前記ベースは、前記直管型ランプ本体に固定するための突出柱を備える、請求項１ないし４のいずれか１項に記載の直管型ランプ。
【請求項６】
前記外蓋の内壁面には突出体が設けられ、
前記回転部材は、前記突出体に対応する穴をさらに備える、請求項１ないし５のいずれか１項に記載の直管型ランプ。
【請求項７】
前記ベースは、第１導接部をさらに備え、
前記回転部材は、前記第１導接部に対応する第２導接部をさらに備え、
前記第２導接部は、前記２つの電極と電気的に接続する、請求項１ないし６のいずれか１項に記載の直管型ランプ。
【発明の詳細な説明】
【技術分野】
【０００１】
本発明は、取付人員が直管型ランプをランプホルダーに取り付ける際の感電を防ぐための防御構造を備えた直管型ランプに関する。
【背景技術】
【０００２】
発光ダイオード（ＬＥＤ）は半導体装置であり、通電により光源を生じさせるものである。技術的な障壁により、発光ダイオードが市販されはじめた頃の用途は主に、電器製品の指示灯に限られたが、近年、白光発光ダイオードの出現に従い、発光ダイオードには、特に室内照明等、さらに多くの用途に応用されるようになっている。
【０００３】
従来の光源と比較して、発光ダイオードは以下の長所を有する。
【０００４】
（１）低光度下でのエネルギー変換効率が高いこと。この特性により、発光ダイオードは、低光度のバックライトとしての用途に非常に適している。低光度のバックライトとしては、例えば、携帯電話のバックライト、テレビのバックライト等への用途が挙げられる。
【０００５】
（２）強固で耐衝撃性を有する構造を備えていること。発光ダイオードは固体部品であるため、タングステンフィラメント電球、蛍光灯直管型ランプと比較して、大きな衝撃を受け止めることができ、構造はこれらに比べてさらに堅固である。
【０００６】
（３）構造が小さいこと。１個の発光ダイオードを非常に小さく形成することができるうえに、複数個の発光ダイオードを要求に応じて自由に配列、組み合わせを行うことができる。例えば、複数個の発光ダイオードを組み合わせて配列した形態の発光装置は、さらに広い用途に使用することができる。
【０００７】
（４）使用寿命が長いこと。従来の光源を比較すると、発光ダイオードのコストは割高ではあるが、適切な放熱手段を有する環境において適切な用途に使用した場合の使用寿命は、従来品よりもさらに長い。
【０００８】
（５）反応時間が早いこと。発光ダイオードは、発光周波数が非常に高い。
【０００９】
上述の長所を有するため、発光ダイオードはすでに、家庭用照明に幅広く採用されている。現在市販されている発光ダイオードの直管型ランプは、従来の蛍光灯市場に取って代わるものであり、その構造は、従来のＴ８蛍光灯直管型ランプの構造を採用し、発光ダイオードの直管型ランプ本体の両端にそれぞれ二電極を備え、発光ダイオード本体の両端の二電極をそれぞれ両側のランプホルダーに接続することにより、発光ダイオード直管型ランプ本体と電源とを一回路として構成させて発光させる。
【００１０】
しかしながら、発光ダイオードの直管型ランプをランプホルダーに取り付ける際、取付人員はまず、発光ダイオードの一端の二電極をランプホルダーに取り付けるが、電源がオフ（ＯＦＦ）になっていない場合、未装着の発光ダイオード直管型ランプの他端にある二電極がランプホルダーに接触して、取付人員が感電する可能性性がある。
【先行技術文献】
【特許文献】
【００１１】
【特許文献１】特開平５−３２５８９８号公報
【発明の概要】
【発明が解決しようとする課題】
【００１２】
本願の発明者は上述の問題に鑑みて、関連データを収集し、多方面の評価および検討を行い、当該技術分野に長年従事して積み上げた経験にもとづいて絶え間ない試作および修正を繰り返し、ついに、本発明の直管型ランプを完成させた。
【課題を解決するための手段】
【００１３】
本発明の主な目的は、取付人員が直管型ランプをランプホルダーに取り付ける際の感電を防ぐことができる直管型ランプを提供することにある。
１．上述の目的を達成するために、本発明の直管型ランプは、直管型ランプ本体と、第１口金部材と、回転部材とを含む。前記第１口金部材は、前記直管型ランプ本体の一端に配置され、内部には収容空間を有する。また、前記第１口金部材には、前記収容空間に繋がる２つの貫通穴を備える。前記回転部材は、前記収容空間に配置され、前記２つの貫通穴へとそれぞれ延伸する２つの電極を含む。前記回転部材は、前記直管型ランプ本体および前記第１口金部材に対して通電位置および遮断位置まで回転し、前記回転部材が前記通電位置にある場合、前記２つの電極は前記直管型ランプ本体と通電し、一方、前記回転部材が前記遮断位置にある場合、前記２つの電極は前記直管型ランプ本体と電気的に遮断される。
２．上記直管型ランプは、感電を防止する機能を有する。
３．上記直管型ランプにおいて、前記直管型ランプ本体は発光ダイオードを含むことができる。
４．上記直管型ランプは、前記直管型ランプ本体の他の一端に配置される第２口金部材をさらに含むことができる。
５．上記直管型ランプにおいて、前記第１口金部材は、前記直管型ランプ本体の一端に配置され、前記直管型ランプ本体と電気的に接続する第１導接部を含むベースと、前記ベースと相互に組み合わされて一体を構成し、かつ、貫通穴を備える外蓋と、を含むことができる。
【００１４】
この場合、前記ベースは、前記直管型ランプ本体に固定するための突出柱を備えることができる。
【００１５】
また、この場合、前記外蓋の内壁面には突出体が設けられ、前記回転部材は、前記突出体に対応する穴をさらに備えることができる。
【００１６】
さらに、この場合、前記ベースは、少なくとも１つの第１嵌合部をさらに備え、前記回転部材は、前記第１嵌合部に対応する少なくとも１つの第２嵌合部をさらに備えることができる。
【００１７】
加えて、この場合、前記ベースは、第１導接部をさらに備え、前記回転部材は、前記第１導接部に対応する第２導接部をさらに備え、前記第２導接部は、前記２つの電極と電気的に接続することができる。
【００１８】
すなわち、本発明の直管型ランプにおいて、前記回転部材は、前記直管型ランプ本体および前記口金部材に対して前記通電位置および前記遮断位置まで回転し、前記回転部材が前記通電位置にある場合、前記２つの電極は前記直管型ランプ本体と通電し、一方、前記回転部材が前記遮断位置にある場合、前記２つの電極は前記直管型ランプ本体と電気的に遮断されることにより、取付人員が本発明の直管型ランプを取り付ける場合、まず、公知の取り付けプロセスに基づいて、本発明の直管型ランプを両側のランプホルダーに取り付け、さらに当該直管型ランプを回転させて、前記ベースの前記第１導接部および前記回転部材の前記第２導接部を電気的に接続させる。このようにして、前記回転部材を前記遮断位置から前記通電位置に切り替えると、本発明の直管型ランプと電源との回路が形成される。以上のとおり、本発明の直管型ランプは、取付人員による直管型ランプ取付時の感電を防ぐ防御構造を備えている。
【発明の効果】
【００１９】
本発明の直管型ランプによれば、直管型ランプ本体と、第１口金部材と、回転部材とを含み、回転部材が通電位置にある場合、２つの電極は直管型ランプ本体と通電し、一方、回転部材が遮断位置にある場合、２つの電極は直管型ランプ本体と電気的に遮断することにより、取付人員が直管型ランプをランプホルダーに取り付ける際の感電を効果的に防止することができる。
【図面の簡単な説明】
【００２０】
【図１】本発明の一実施形態に係る直管型ランプの立体外観図（斜視図）である。
【図２】図１に示される直管型ランプの各構成部品の立体分解図１である。
【図３】図１に示される直管型ランプの各構成部品の立体分解図２である。
【図４】図１に示される直管型ランプの回転部材の遮断位置を示す断面図である。
【図５】図１に示される直管型ランプの回転部材の通電位置を示す断面図である。
【発明を実施するための形態】
【００２１】
以下、添付図面を参照して、本発明の実施形態に係る直管型ランプ１０の構成、特徴および作用効果を詳細に説明する。
【００２２】
図１、図２、および図３はそれぞれ、本発明の一実施形態に係る直管型ランプ１０の立体図（斜視図）、立体分解図１、および立体分解図２を示す。図１、図２および図３に示されるように、直管型ランプ（直管型ライト）１０は、直管型ランプ本体１と、第１口金部材２と、回転部材３を含む。本実施形態に係る直管型ランプ１０は、取付人員が直管型ランプ１０をランプホルダー（図示せず）に取り付ける際の感電を防止する機能を有する。
【００２３】
直管型ランプ本体１は、発光ダイオード（ＬＥＤ）直管型ランプである。発光ダイオード（図示せず）を直管型ランプ本体１内に配置する回路は、当業者であれば簡単に実現できるものであるため、ここでは説明を省略する。明るさの需要に応じて、適当数の発光ダイオードを直管型ランプ本体１内に配置することもでき、また、発光角度の需要に応じて、当該需要にもとづいて直管型ランプ本体１の所定位置に発光ダイオードを配置することもできる。
【００２４】
図２および図３に示されるように、第１口金部材２は、直管型ランプ本体１の一端に配置され、内部に収容空間を備えた円柱形状の外殻体であり、以下の構成要素を含む。
【００２５】
図２および図３に示されるように、ベース２１は、直管型ランプ本体１の一端に配置され、第１導接部２１１と、突出柱２１２と、少なくとも１つの第１嵌合部２１３とを備える。第１導接部２１１は、直管型ランプ本体１と電気的に接続する。具体的には、第１導接部２１１は良導体であり、かつ、直管型ランプ本体１内の発光ダイオード回路と電気的に接続する。突出柱２１２は、直管型ランプ本体１に取り付けるためのもので、突出柱２１２によって、第１口金部材２が直管型ランプ本体１に固定される。図３は、第１嵌合部２１３がベース２１の外表面に２つ設けられている例を示している。
【００２６】
図２および図３に示されるように、ベース２１および外蓋２２は相互に組み合わせされて一体を構成し、これにより収容空間を形成する。外蓋２２には、図３に示されるように、収容空間に繋がる２つの貫通穴２２１と、図２に示されるように、外蓋２２の内壁面に設けられた突出体２２２とを含む。
【００２７】
回転部材３は、収容空間に配置され、２つの貫通穴２２１へとそれぞれ延伸する２つの電極３１と、突出体２２２に対応する穴３２と、第１嵌合部２１３に対応する少なくとも１つの第２嵌合部３３と、第１導接部２１１に対応する第２導接部３４とを備える。回転部材３は、直管型ランプ本体１および第１口金部材２に対して通電位置および遮断位置まで回転し、回転部材３が通電位置（図１のＯＮ）にある場合、電極３１は直管型ランプ本体１と通電し、一方、回転部材３が遮断位置（図１のＯＦＦ）にある場合、電極３１は直管型ランプ本体１と電気的に遮断される。
【００２８】
２つの電極３１は、公知の標準タイプの蛍光灯の直管型ランプ本体１に対応する電極であり、ランプホルダー（図示せず）と電気的に接続する。ランプホルダーは、公知の直管型蛍光灯のランプホルダーである。穴３２には突出体２２２が挿入され、回転部材３は、突出体２２２を軸心として回転する。第２嵌合部３３は、第１嵌合部２１３に嵌合する。具体的には、本実施形態では、第２嵌合部３３を凹部とし、対応して設けられた第１嵌合部２１３を弾力アームとし、第１嵌合部２１３と第２嵌合部３３を相互に嵌合定位するが、これに制限されず、第１嵌合部２１３を凹部とし、第１嵌合部２１３に対応して設けられる第２嵌合部３３を弾力アームとしてもよい。第２導接部３４は電極３１と電気的に接続され、第２導接部３４は良導体である。
【００２９】
さらに、直管型ランプ本体１の他の一端には、第２口金部材（図示せず）が設けられ、第２口金部材は第１口金部材と同様の構成を有し、かつ、第２口金部材では第１口金部材と同様に、ベース２１と外蓋２２との間に回転部材３（図示せず）が設けられている。。すなわち、本実施形態に係る直管型ランプ１０の直管型ランプ本体１の両端にそれぞれ、第１口金部材２および第２口金部材が配置される。
【００３０】
次に、上述の本実施形態に係る直管型ランプ１０の構造および構成に基づいて、本実施形態に係る直管型ランプ１０の使用時の作動状況を説明する。
【００３１】
図４は、本実施形態に係る直管型ランプ１０の断面図１を示す。図４に示されるように、回転部材３が遮断位置にある場合、電極３１は図１に示されるＯＦＦ（オフ）に位置し、ベース２１の第１導接部２１１は、回転体の第２導接部３４の位置からずれているため、電極３１と直管型ランプ本体１との間は電気的に遮断された状態である。取付人員が本実施形態に係る直管型ランプ１０を取り付ける際は、まず、直管型ランプ本体１の一端の電極３１がランプホルダー上に連結されるが、直管型ランプ本体１の他の一端の電極３１に接触しても、感電の危険はない。
【００３２】
また、図５は、本実施形態に係る直管型ランプ１０断面図２を示す。図５に示されるように、回転部材３の電極３１を図１に示されるＯＮ（オン）の位置まで回すと、回転部材３が通電位置となり、ベース２１の第１導接部２１１が回転部材３の第２導接部３４と接触した状態となる。すなわち、電極３１と直管型ランプ本体１とが通電される（電気的に接続される）。
【００３３】
よって、取付人員が本実施形態に係る直管型ランプ１０をランプホルダーに取り付ける際は、まず、公知の取り付けプロセスに基づいて、直管型ランプ１０をランプホルダーに取り付け、次に、直管型ランプ１０を回転させて、ベース２１の第１導接部２１１と回転部材の第２導接部３４とを電気的に接続させる。このようにして、回転部材３を遮断位置から通電位置に切り替えると、直管型ランプ本体１と電源とを電気的に接続する回路が形成される。
【００３４】
本実施形態において、回転部材３は、４５度の回転をおこない、遮断位置と通電位置とを切り替えるが、回転部材３の回転角度は４５度より大きい角度であってもよいし、または小さい角度であってもよい。また、本実施形態に係る直管型ランプ１０において、直管型ランプ本体１の両端にそれぞれ第１口金部材２および第２口金部材を設置することも可能である。このように、直管型ランプ本体１の両端に第１口金部材２および第２口金部材の両方を配置する場合、ランプホルダーへの取り付けを可能とするために、回転部材３も同時に、遮断位置または通電位置にする必要がある。
【００３５】
また、直管型ランプ１０を取り付ける前は、取り付け時の感電防止効果を生じさせるために、回転部材３を遮断位置に保つ必要がある。
【００３６】
本実施形態に係る直管型ランプ１０によれば、簡単な構造により、取付人員が当該直管型ランプ１０をランプホルダーに取り付ける際の感電の危険を防止することができるため、従来技術と比較して安全性に優れている。    
【００３７】
上述したものは本発明の好ましい実施形態の開示であり、本発明の範囲を制限するものではない。よって、特許請求の範囲に基づいてなされた変化および修飾はすべて、本発明の範囲内に属するものとする。
【符号の説明】
【００３８】
１      直管型ランプ本体
２      第１口金部材
１０    直管型ランプ
２１    ベース
２１１  第１導接部
２１２  突出柱
２１３  第１嵌合部
２２    外蓋
２２１  貫通穴
２２２  突出体
３      回転部材
３１    電極
３２    穴
３３    第２嵌合部
３４    第２導接部
【図１】
0005314105.tif 000002
【図２】
0005314105.tif 000003
【図３】
0005314105.tif 000004
【図４】
0005314105.tif 000005
【図５】
0005314105.tif 000006